(57)【要約】【課題】講演資料を様々な言語に対応させるとともに、講演の進行に応じて講演資料を切り替えて送信することができる映像データ出力装置および放送システムを提供すること。【解決手段】本発明の映像データ出力装置１は、講演者の切り替え指示に応じてスクリーン等に表示される講演資料のページを切り替えることができるとともに、日本語の講演資料、英語の講演資料について、それぞれページ切り替えに対応した映像データを生成することができる。これにより、聴講者は、講演者から遠い位置にいても、手元の映像表示装置４おいて、講演資料を表示させて内容を確認できるとともに、無線受信装置３の操作部の操作によって、スクリーン等に表示される講演資料と異なる言語の講演資料に切り替えて確認することもできる。【選択図】図１
2009105560.tif 000002
【特許請求の範囲】
【請求項１】
複数の画像データを有する第１の画像データ群と、前記第１の画像データ群の各画像データと対応付けられた画像データを有する第２の画像データ群とを記憶する記憶手段と、
切替信号を取得する切替信号取得手段と、
前記記憶手段から前記第１の画像データ群の画像データを読み出して、当該画像データに基づいて表示手段の表示内容を制御する表示制御手段であって、前記切替信号取得手段が切替信号を取得すると、前記記憶手段から前記第１の画像データ群の画像データを読み出す表示制御手段と、
前記表示制御手段によって制御される表示内容を含むストリーミング形式の第１の映像データを生成する第１の映像データ生成手段と、
前記表示制御手段によって読み出される画像データに連動して、当該画像データと対応する前記第２の画像データ群の画像データを前記記憶手段から読み出す読出手段と、
前記読出手段が読み出した画像データに基づいて、ストリーミング形式の第２の映像データを生成する第２の映像データ生成手段と、
前記第１の映像データと前記第２の映像データとを外部機器と通信可能な送信手段に出力する出力手段と
を具備することを特徴とする映像データ出力装置。
【請求項２】
前記表示制御手段は、読み出した画像データに対応する前記第２の画像データ群の画像データが複数ある場合には、前記切替信号取得手段が次に切替信号を取得すると読み出す画像データが、直前に読み出した画像データと同一の画像データとなるような処理を、前記第２の画像データ群の画像データが対応付けられている数だけ連続して行い、
前記読出手段は、前記表示制御手段が連続して同一の画像データを読み出す場合には、当該同一の画像データに対応する複数の画像データを、予め設定された順に読み出す
ことを特徴とする請求項１に記載の映像データ出力装置。
【請求項３】
前記読出手段は、前記表示制御手段が読み出した画像データに対応付けられた前記第２の画像データ群の画像データが複数ある場合には、前記表示制御手段によって読み出される画像データに対応する前記第２の画像データ群の複数の画像データのうち、予め設定された画像データを読み出す
ことを特徴とする請求項１に記載の映像データ出力装置。
【請求項４】
第３の映像データを生成する第３の映像データ生成手段
をさらに具備し、
前記表示制御手段は、前記記憶手段から前記第１の画像データ群の画像データを読み出して、当該画像データに基づいて表示手段の表示内容を制御するとともに、前記第３の映像データ生成手段によって第３の映像データが生成されている期間においては、当該第３の映像データを取得して、当該第３の映像データ、または、当該第３の映像データと当該画像データとに基づいて表示手段の表示内容を制御し、
前記第２の映像データ生成手段は、前記第３の映像データ生成手段によって第３の映像データが生成されている期間においては、当該第３の映像データを取得して、当該第３の映像データ、または、当該第３の映像データと前記読出手段が読み出した画像データとに基づいて、ストリーミング形式の第２の映像データを生成する
ことを特徴とする請求項１乃至請求項３のいずれかに記載の映像データ出力装置。
【請求項５】
第１の収音手段と、
第２の収音手段と、
前記第１の収音手段の収音に基づいて、ストリーミング形式の第１の音声データを生成する第１の音声データ生成手段と、
前記第２の収音手段の収音に基づいて、ストリーミング形式の第２の音声データを生成する第２の音声データ生成手段と
をさらに具備し、
前記出力手段は、さらに前記第１の音声データと前記第２の音声データとを出力する
ことを特徴とする請求項１乃至請求項４のいずれかに記載の映像データ出力装置。
【請求項６】
前記出力手段は、前記第１の映像データと前記第１の音声データとを一のチャンネルとして出力するとともに、前記第２の映像データと前記第２の音声データとを前記チャンネルとは異なるチャンネルとして出力する
ことを特徴とする請求項５に記載の映像データ出力装置。
【請求項７】
前記第２の映像データを所定時間遅延させる遅延手段
をさらに具備し、
前記出力手段が出力する第２の映像データは、前記遅延手段によって遅延された第２の映像データである
ことを特徴とする請求項５または請求項６に記載の映像データ出力装置。
【請求項８】
請求項１乃至請求項７のいずれかに記載の映像データ出力装置と、
前記出力手段から出力された各データを通信によって送信する送信手段を有する送信装置と、
前記送信手段から送信される各データのうち、少なくとも第１の映像データまたは第２の映像データのいずれかを選択する選択手段と、前記選択手段によって選択されたデータを受信する受信手段とを有する受信装置と
を具備することを特徴とする放送システム。
【請求項９】
外部装置から表示内容を制御される映像表示装置をさらに具備し、
前記受信装置は、前記外部装置であって、前記受信手段によって受信した映像データに基づく表示内容を前記映像表示装置に表示させる制御を行う映像制御手段を有する
ことを特徴とする請求項８に記載の放送システム。
【発明の詳細な説明】
【技術分野】
【０００１】
本発明は、広い会場における講演において、聴講者に対して講演資料を送信する技術に関する。
【背景技術】
【０００２】
講演会などにおいて、一般的には、講演者はプロジェクタなどによりスクリーンに映し出された講演資料を聴講者に示しながら、その内容についての説明を行う。しかし、講演を行う会場が広い場合などは、講演者やスクリーンから遠い場所にいる聴講者は、スクリーンに映し出された講演資料を視認することが困難になるとともに、講演内容を聞き取ることも困難になる。このような状況を改善するために、ビデオカメラによってスクリーンを撮影した映像と、マイクによって収音した音声とを、聴講者の手元にあるモニタとヘッドホンに赤外線通信によって送信する技術が、例えば特許文献１に開示されている。また、国際的な講演会などの場合には、聴講者は、講演者の言語を理解できない場合もあるため、音声について、同時通訳を行って送信することにより、聴講者は同時通訳された音声を選択して聴取することもできる。
【特許文献１】特開２００４−３１２２１４号公報
【発明の開示】
【発明が解決しようとする課題】
【０００３】
一方、聴講者が手元のモニタで見ることができる情報は、スクリーンを撮影した内容であったため、講演者が用いる講演資料に使用される言語によっては、聴講者は、同時通訳された音声を聞くことができても講演資料の内容を理解できないことがあった。
【０００４】
本発明は、上述の事情に鑑みてなされたものであり、講演資料を様々な言語に対応させるとともに、講演の進行に応じて講演資料を切り替えて送信することができる映像データ出力装置および放送システムを提供することを目的とする。
【課題を解決するための手段】
【０００５】
上述の課題を解決するため、本発明は、複数の画像データを有する第１の画像データ群と、前記第１の画像データ群の各画像データと対応付けられた画像データを有する第２の画像データ群とを記憶する記憶手段と、切替信号を取得する切替信号取得手段と、前記記憶手段から前記第１の画像データ群の画像データを読み出して、当該画像データに基づいて表示手段の表示内容を制御する表示制御手段であって、前記切替信号取得手段が切替信号を取得すると、前記記憶手段から前記第１の画像データ群の画像データを読み出す表示制御手段と、前記表示制御手段によって制御される表示内容を含むストリーミング形式の第１の映像データを生成する第１の映像データ生成手段と、前記表示制御手段によって読み出される画像データに連動して、当該画像データと対応する前記第２の画像データ群の画像データを前記記憶手段から読み出す読出手段と、前記読出手段が読み出した画像データに基づいて、ストリーミング形式の第２の映像データを生成する第２の映像データ生成手段と、前記第１の映像データと前記第２の映像データとを外部機器と通信可能な送信手段に出力する出力手段とを具備することを特徴とする映像データ出力装置を提供する。
【０００６】
また、別の好ましい態様において、前記表示制御手段は、読み出した画像データに対応する前記第２の画像データ群の画像データが複数ある場合には、前記切替信号取得手段が次に切替信号を取得すると読み出す画像データが、直前に読み出した画像データと同一の画像データとなるような処理を、前記第２の画像データ群の画像データが対応付けられている数だけ連続して行い、前記読出手段は、前記表示制御手段が連続して同一の画像データを読み出す場合には、当該同一の画像データに対応する複数の画像データを、予め設定された順に読み出してもよい。
【０００７】
また、別の好ましい態様において、前記読出手段は、前記表示制御手段が読み出した画像データに対応付けられた前記第２の画像データ群の画像データが複数ある場合には、前記表示制御手段によって読み出される画像データに対応する前記第２の画像データ群の複数の画像データのうち、予め設定された画像データを読み出してもよい。
【０００８】
また、別の好ましい態様において、第３の映像データを生成する第３の映像データ生成手段をさらに具備し、前記表示制御手段は、前記記憶手段から前記第１の画像データ群の画像データを読み出して、当該画像データに基づいて表示手段の表示内容を制御するとともに、前記第３の映像データ生成手段によって第３の映像データが生成されている期間においては、当該第３の映像データを取得して、当該第３の映像データ、または、当該第３の映像データと当該画像データとに基づいて表示手段の表示内容を制御し、前記第２の映像データ生成手段は、前記第３の映像データ生成手段によって第３の映像データが生成されている期間においては、当該第３の映像データを取得して、当該第３の映像データ、または、当該第３の映像データと前記読出手段が読み出した画像データとに基づいて、ストリーミング形式の第２の映像データを生成してもよい。
【０００９】
また、別の好ましい態様において、第１の収音手段と、第２の収音手段と、前記第１の収音手段の収音に基づいて、ストリーミング形式の第１の音声データを生成する第１の音声データ生成手段と、前記第２の収音手段の収音に基づいて、ストリーミング形式の第２の音声データを生成する第２の音声データ生成手段とをさらに具備し、前記出力手段は、さらに前記第１の音声データと前記第２の音声データとを出力してもよい。
【００１０】
また、別の好ましい態様において、前記出力手段は、前記第１の映像データと前記第１の音声データとを一のチャンネルとして出力するとともに、前記第２の映像データと前記第２の音声データとを前記チャンネルとは異なるチャンネルとして出力してもよい。
【００１１】
また、別の好ましい態様において、前記第２の映像データを所定時間遅延させる遅延手段をさらに具備し、前記出力手段が出力する第２の映像データは、前記遅延手段によって遅延された第２の映像データであってもよい。
【００１２】
また、本発明は、上記記載の映像データ出力装置と、前記出力手段から出力された各データを通信によって送信する送信手段を有する送信装置と、前記送信手段から送信される各データのうち、少なくとも第１の映像データまたは第２の映像データのいずれかを選択する選択手段と、前記選択手段によって選択されたデータを受信する受信手段とを有する受信装置とを具備することを特徴とする放送システムを提供する。
【００１３】
また、別の好ましい態様において、外部装置から表示内容を制御される映像表示装置をさらに具備し、前記受信装置は、前記外部装置であって、前記受信手段によって受信した映像データに基づく表示内容を前記映像表示装置に表示させる制御を行う映像制御手段を有してもよい。
【発明の効果】
【００１４】
本発明によれば、講演資料を様々な言語に対応させるとともに、講演の進行に応じて講演資料を切り替えて送信することができる映像データ出力装置および放送システムを提供することができる。
【発明を実施するための最良の形態】
【００１５】
以下、本発明の一実施形態について説明する。
【００１６】
＜実施形態＞
本発明の実施形態に係る映像データ出力装置１は、講演資料などを示す映像データを生成し、図１に示すように、無線送信装置２を介して、生成した映像データを無線送信する。無線受信装置３は、無線送信装置２から送信された映像データを受信し、映像表示装置４にその映像データに係る映像を表示させる。このように、映像データ出力装置１、無線送信装置２、無線受信装置３および映像表示装置４により放送システムが構成される。以下、放送システムの各々の構成について、順に説明する。
【００１７】
映像データ出力装置１のハードウエアの構成について説明する。図２は、映像データ出力装置１のハードウエアの構成を示すブロック図である。
【００１８】
ＣＰＵ（Ｃｅｎｔｒａｌ  Ｐｒｏｃｅｓｓｉｎｇ  Ｕｎｉｔ）１１は、ＲＯＭ（Ｒｅａｄ  Ｏｎｌｙ  Ｍｅｍｏｒｙ）１２に記憶されているプログラムを読み出して、ＲＡＭ（Ｒａｎｄｏｍ  Ａｃｃｅｓｓ  Ｍｅｍｏｒｙ）１３にロードして実行することにより、映像データ出力装置１の各部について、バス１０を介して制御する。また、ＲＡＭ１３は、ＣＰＵ１１が記憶された各データの加工などを行う際のワークエリアとして機能する。
【００１９】
記憶部１４は、例えば、ハードディスクなどの大容量記憶手段であって、静止画像を示す画像データを記憶する。この画像データは、講演資料についてページ単位での内容を示すデータである。本実施形態においては、講演資料は、日本語、英語で作成され、日本語の講演資料については、各ページが画像データＪ１、Ｊ２、・・・（以下、各ページを区別しない場合は、画像データＪという）として記憶され、英語の講演資料については、各ページが画像データＥ１、Ｅ２、・・・（以下、各ページを区別しない場合は、画像データＥという）として記憶されている。そして、図３に示すように、これらの画像データは、それぞれの言語ごとにまとめて記憶され、日本語の講演資料である画像データＪは日本語データ、英語の講演資料である画像データＥは英語データとして、まとめて記憶されている。ここで、画像データの一例として、画像データＪ１と画像データＥ１の静止画像の内容を図３に示す。このように、日本語の講演資料を英訳したものが英語の講演資料を示す外国語データとして記憶されている。
【００２０】
また、記憶部１４は、対応テーブルを記憶する。対応テーブルは、図４に示すように、講演資料の表示順番を規定するとともに、日本語データと英語データとにおける画像データの対応関係を示している。そのため、図４の対応テーブルは、日本語の講演資料は、１ページ目が画像データＪ１、２ページ目が画像データＪ２、３ページ目が画像データＪ３、４ページ目が画像データＪ４であり、英語の講演資料は、１ページ目が画像データＥ１、２ページ目が画像データＥ２、３ページ目が画像データＥ４、４ページ目が画像データＥ３となっている。すなわち、画像データＪ１と画像データＥ１、画像データＪ２と画像データＥ２、画像データＪ３と画像データＥ４、画像データＪ４と画像データＥ３、がそれぞれ対応付けられている。
【００２１】
図２の説明に戻る。操作部１５は、例えばキーボード、マウス、切り替えボタンなどである。利用者が操作部１５を操作するとその操作内容を表すデータがＣＰＵ１１へ出力される。また、講演者が切り替えボタンを押下すると、操作部１５は切替信号を出力する。
【００２２】
音声入力部１６は、チャンネル番号が割り当てられたマイクを複数有し、各マイクからの収音内容をチャンネルごとに音声データとして出力する。本実施形態においては、チャンネル１（以下、ＣＨ１という）のマイクは、日本語によって発言する講演者の声を収音し、チャンネル２（以下、ＣＨ２という）のマイクは、講演者の発言を英語の発言に同時通訳する通訳者の声を収音する。以下、ＣＨ１のマイクの収音によって生成される日本語の発言を示すＣＨ１の音声データを音声データＪといい、ＣＨ２のマイクの収音によって生成される英語の発言を示すＣＨ２の音声データを音声データＥという。
【００２３】
データ出力部１７は、映像データ出力装置１に接続される無線送信装置２に対して、後述するソフトウエアの処理によって生成される出力データを出力する出力端子である。
【００２４】
表示部１８は、映像を画面に表示する液晶ディスプレイなどの表示デバイスであって、入力される映像データに基づいて表示を行う。また、外部にプロジェクタなどを接続することにより、接続されたプロジェクタによって、スクリーンに映像を投影表示させることもできる。さらに、映像データ出力装置１を操作するためのメニュー画面など、各種画面を表示する。
【００２５】
次に、ＣＰＵ１１が、ＲＯＭ１２に記憶されたプログラムを実行することによって実現する機能について説明する。図５は、ＣＰＵ１１が実現する機能を示したソフトウエアの構成を示すブロック図である。
【００２６】
切替信号取得部１０１は、操作部１５から出力された切替信号を取得し、取得したタイミングで、読出部１０２に対して、画像データの読み出し指示を示す指示信号を出力する。なお、読出部１０２に指示信号を出力するタイミングは、切替信号を取得したタイミングに限らず、そのタイミング以降であれば、少し遅いタイミングでもよく、このタイミングの遅れ時間は、予め設定しておけばよい。
【００２７】
読出部１０２は、ＣＰＵ１１によってプログラムが実行された後に、記憶部１４から対応テーブルを取得し、読み出すべき画像データＪおよび画像データＥと、その読み出し順番を認識する。そして、読出部１０２は、切替信号取得部１０１から出力された指示信号を認識するたびに、対応テーブルによって指定される順番に画像データＪおよび画像データＥを読み出して、映像データ生成部１０３に出力する。このように、画像データＪと画像データＥは、読出部１０２によって連動して読み出される。
【００２８】
例えば、読出部１０２は、図４に示すような対応テーブルを取得した場合には、最初の指示信号を認識すると、画像データＪ１および画像データＥ１を読み出して、映像データ生成部１０３に出力する。次に指示信号を認識すると、次の順番である画像データＪ２および画像データＥ２を読み出して、映像データ生成部１０３に出力する。このとき、読出部１０２は、日本語データである画像データＪはＣＨ１、英語データである画像データＥはＣＨ２として、映像データ生成部１０３に出力し、日本語データと英語データとを映像データ生成部１０３に認識させる。
【００２９】
映像データ生成部１０３は、読出部１０２から出力された画像データＪに基づいて、ストリーミング形式の映像データＪを生成し、読出部１０２から出力された画像データＥに基づいて、ストリーミング形式の映像データＥを生成する。そして、生成した映像データＪは、表示部１８に出力するとともに、ＣＨ１の映像データとして出力データ生成部１０４に出力される。一方、生成した映像データＥは、ＣＨ２の映像データとして出力データ生成部１０４に出力される。
【００３０】
映像データ生成部１０３が生成する映像データは具体的には、以下のように行われる。読出部１０２から画像データが出力されると、その画像データが示す静止画像を表示し続ける映像を示す映像データを生成する。そして、次の画像データが読出部１０２から出力されると、その画像データが示す静止画像を表示し続ける映像を示す映像データを生成する。このような映像データの生成が、それぞれのチャンネルにおいて行われる。そして、表示部１８には、日本語の講演資料がページ単位で表示され、講演者が切り替えボタンを押下するたびに、ページが切り替わる表示が行われる。このように映像データが生成されることにより、映像データＥは、表示部１８へ出力される映像データＪの生成に係る画像データＪを、当該画像データＪに対応する画像データＥに置換した場合に生成される映像データとなっている。
【００３１】
出力データ生成部１０４は、映像データ生成部１０３から出力される映像データＪおよび映像データＥが入力されるとともに、音声入力部１６から出力される音声データＪおよび音声データＥが入力される。出力データ生成部１０４は、入力されるこれらのデータをチャンネルごとにまとめて同期させたストリーミング形式の出力データとしてデータ出力部１７に出力する。すなわち、出力データは、ＣＨ１が映像データＪおよび音声データＪ、ＣＨ２が映像データＥおよび音声データＥ、としてまとめられたデータである。
【００３２】
このようにして、映像データ出力装置１は、講演者の切り替え指示に応じて変更される画像データＪに基づいて、表示部１８に表示される表示内容である日本語の講演資料を示す映像データＪを生成し、当該画像データＪに対応する画像データＥに基づいて、英語の講演資料を示す映像データＥを生成する。そして、映像データＪおよび映像データＥをデータ出力部１７から無線送信装置２へ出力する。以上が映像データ出力装置１の説明である。
【００３３】
無線送信装置２は、映像データ出力装置１のデータ出力部１７から出力された出力データを無線通信によって送信する。
【００３４】
無線受信装置３は、無線送信装置２から送信された出力データを受信する。以下、図６、図７を用いて、無線受信装置３の構成を説明する。図６は、無線受信装置３のハードウエアの構成を示すブロック図である。また、図７は、無線受信装置３の外観を示す外観図である。
【００３５】
ＣＰＵ３１は、ＲＯＭ３２に記憶されているプログラムを読み出して、ＲＡＭ３３にロードして実行することにより、無線受信装置３の各部について、バス３０を介して制御する。また、ＲＡＭ３３は、ＣＰＵ３１が記憶された各データの加工などを行う際のワークエリアとして機能する。
【００３６】
通信部３４は、無線送信装置２から送信された出力データを受信する通信手段である。
【００３７】
操作部３５は、通信部３４が受信した出力データのうち、使用したいチャンネルを選択するボタンを有した選択手段であって、図７に示すような「＋」、「−」の操作ボタンによって、チャンネルを選択する。本実施形態の場合には、ＣＨ１またはＣＨ２が選択できるようになっている。選択されたチャンネルは、後述する表示部３８に表示される。そして、操作部３５は、この選択されたチャンネルを示す情報をＣＰＵ１１へ出力する。また、操作部３５は、無線受信装置３を駆動状態とするか非駆動状態とするかのスイッチを有していてもよい。
【００３８】
音声入力部３６は、マイクを有し、収音内容を示す音声データを生成する。生成された音声データは、通信部３４を介して、無線受信装置３を識別する端末ＩＤなどとともに、無線送信することもできる。そして、送信される音声データを他の無線受信装置３において受信させ、無線送信装置２において送信させるようにすれば、音声データの双方向通信が可能となる。
【００３９】
音声出力部３７は、通信部３４によって受信した出力データのうち、操作部３５の操作によって選択されたチャンネルの音声データがＣＰＵ３１の制御によって入力され、図７に示すような外部端子に接続されるヘッドホンなどに供給する。
【００４０】
表示部３８は、液晶ディスプレイなどの表示デバイスであって、ＣＰＵ３１の制御によって表示を行う。この表示は、上述したように、操作部３５の操作によって選択されたチャンネル表示のほか、そのチャンネルの内容、無線通信用の電波の強度、図示しない２次電池の残量などの表示が行われる。ここで、チャンネルの内容は、本実施形態においては、日本語、英語（図７においてはＥＮＧと表示）を示し、チャンネルとその内容との対応付けは、映像データ出力装置１の出力データ生成部１０４において、チャンネルとその内容を対応付けて持たせた出力データを生成するようにしてもよいし、予め無線受信装置３に設定しておいてもよい。
【００４１】
インターフェイス３９は、外部機器と接続し、様々な情報の送受信をするための接続端子であって、例えばＵＳＢ（Ｕｎｉｖｅｒｓａｌ  Ｓｅｒｉａｌ  Ｂｕｓ）端子などである。本実施形態においては、外部機器として、映像表示装置４が接続され、通信部３４によって受信した出力データのうち、操作部３５の操作によって選択されたチャンネルの映像データがＣＰＵ３１の制御によって、映像表示装置４に供給される。なお、外部機器と接続している際には、電力の供給を外部機器から受けることにより、無線受信装置３の各部の駆動電力とするとともに、２次電池を充電するようにしてもよい。一方、外部機器と接続していない場合には、２次電池からの電力供給を無線受信装置３の各部の駆動電力とすればよく、無線受信装置３を駆動状態とするか非駆動状態とするかは、操作部３５の操作によって決定すればよい。
【００４２】
映像表示装置４は、外部機器と接続可能なＵＳＢなどの接続端子と、液晶ディスプレイなどの表示手段とを有する。そして、接続された外部機器である無線受信装置３に制御されて、無線受信装置３から供給される映像データに係る映像を表示する。
【００４３】
例えば、映像表示装置４が一般的なパーソナルコンピュータである場合には、無線受信装置３のＣＰＵ３１は、映像表示装置４のブラウザを立ち上げ、映像表示装置４に供給する映像データに係る映像を表示させる。また、映像表示装置４が単なるモニタなどであった場合には、無線受信装置３は、映像データを供給する代わりに、当該映像データを接続された映像表示装置４に適した映像信号に変換して供給し、映像表示装置４に表示させる。
【００４４】
すなわち、映像表示装置４は、接続端子および表示手段を有していればどのような装置であってもよく、無線受信装置３は、映像表示装置４の接続端子に接続するだけで、ＣＰＵ３１が映像表示装置４の装置構成を認識して、映像表示装置４を制御することにより、表示手段に映像を表示させることができる。以上が、放送システムの各々の構成の説明である。
【００４５】
次に、映像データ出力装置１の動作について説明する。
【００４６】
まず、講演者は、講演に先立って日本語と英語の講演資料をページ単位で作成し、映像データ出力装置１の記憶部１４に、各ページを画像データとして記憶させておく。また、日本語と英語の講演資料の画像データ（ページ）単位での対応関係およびページの順番（画像データの使用順番）を示す対応テーブルを作成し、同様に記憶部１４に記憶させておく。
【００４７】
講演者は、操作部１５を操作して、ＣＰＵ１１にプログラムを実行させると、読出部１０２は、対応テーブルを読み出して、画像データの読み出し順番を認識する。ここで、対応テーブルは図４に示す対応テーブルであるとする。講演者は、操作部１５の切り替えボタンを押下すると、読出部１０２は、画像データＪ１、画像データＥ１を読み出して、映像データ生成部１０３に出力する。映像データ生成部１０３は、それぞれの静止画像を表示する映像を示すＣＨ１の映像である映像データＪ、ＣＨ２の映像データである映像データＥを生成する。
【００４８】
これにより、表示部１８には、映像データＪが供給され、画像データＪ１に係る静止画像が表示され、プロジェクタを用いている場合には、スクリーンにも当該静止画像が表示される。講演者は、表示部１８に表示される静止画像を見ながら発言を行うと、音声入力部１６が、講演者が用いるＣＨ１のマイクによる収音から音声データＪを生成する。また、講演者の発言を同時通訳する通訳者が用いるＣＨ２のマイクによる収音から音声データＥを生成する。
【００４９】
出力データ生成部１０４は、ＣＨ１（映像データＪ、音声データＪ）とＣＨ２（映像データＥ、音声データＥ）を有する出力データを生成し、データ出力部１７へ出力する。このとき、出力データのＣＨ１が示す映像は、画像データＪ１の静止画像であり、出力データのＣＨ２が示す映像は、画像データＥ１の静止画像である。
【００５０】
講演者が、操作部１５の切り替えボタンを押下すると、読出部１０２は、対応テーブルから認識した次に読み出すべき画像データである画像データＪ２、画像データＥ２を読み出して、映像データ生成部１０３に出力する。これにより、表示部１８の表示内容は、画像データＪ２に係る静止画像に切り替わる。そして、出力データのＣＨ１が示す映像は、画像データＪ２の静止画像、出力データのＣＨ２が示す映像は、画像データＥ２の静止画像に切り替わる。
【００５１】
このようにして生成されて、データ出力部１７から出力される出力データは、無線送信装置２を介して、無線通信により送信される。
【００５２】
一方、無線受信装置３は、無線送信装置２から送信された出力データを受信し、当該出力データのうち操作部３５によって選択したチャンネルの音声データを音声出力部３７に、映像データをインターフェイス３９に出力する。例えば、図７に示すようにＣＨ２が選択されている場合には、音声出力部３７に音声データＥ、インターフェイス３９に映像データＥが出力される。
【００５３】
これにより、この無線受信装置３を用いている聴講者は、音声出力部３７に接続されたヘッドホンにより、講演者の日本語の発言を英語に同時通訳された音声を聞くことができる。また、無線受信装置３が接続された映像表示装置４の表示手段に表示される映像データＥに係る映像を見ることができる。すなわち、講演者の指示により表示部１８に表示されている日本語の講演資料に対応した英語の講演資料が映像表示装置４に表示される。具体的には、表示部１８に表示されている映像が、画像データＪ３に係る静止画像である場合には、画像データＪ３に対応する画像データＥ４に係る静止画像が映像表示装置４に表示されることになる。聴講者が操作部３５を操作してチャンネルをＣＨ１に切り替えれば、講演者の声を聞き、日本語の講演資料を見ることができる。また、出力データは、画像データそのものではなく、ストリーミング形式であるから、無線受信装置３で受信した出力データを記憶することができないため、講演資料の複製が安易に行われることがなく、セキュリティ効果を高めることができる。
【００５４】
このように、映像データ出力装置１は、講演者の切り替え指示に応じてスクリーン等に表示される講演資料のページを切り替えることができるとともに、日本語の講演資料、英語の講演資料について、それぞれページ切り替えに対応した映像データを生成することができる。これにより、聴講者は、講演者から遠い位置にいても、手元の映像表示装置４おいて、講演資料を表示させて内容を確認できるとともに、無線受信装置３の操作部３５の操作によって、スクリーン等に表示される講演資料と異なる言語の講演資料に切り替えて確認することもできる。
【００５５】
以上、本発明の実施形態について説明したが、本発明は以下のように、さまざまな態様で実施可能である。
【００５６】
＜変形例１＞
上述した実施形態においては、記憶部１４に記憶される対応テーブルは、日本語データの画像データＪと英語データの画像データＥについて、１対１で対応させていたが、例えば、図８に示すように、画像データＪ２、Ｊ３と画像データＥ２が対応付けられるような、１対複数の対応付けであってもよい。この場合は、読出部１０２は、画像データＪ２、Ｊ３を読み出すときに、どちらも画像データＥ２を読み出すことになるため、講演者によって切り替えボタンが押下され、映像データＪに係る映像が変化しても、映像データＥに係る映像は画像データＥ２に係る静止画像のまま変化しないことになるだけである。
【００５７】
＜変形例２＞
上述した実施形態においては、記憶部１４に記憶される対応テーブルは、日本語データの画像データＪと英語データの画像データＥについて、１対１で対応させていたが、例えば、画像データＪ２と画像データＥ２、Ｅ３が対応付けられるような、複数対１の対応付けであってもよい。この場合には、対応テーブルは２つの態様で、記憶部１４に記憶させることができる。
【００５８】
まず、第１の態様として、図９に示すような態様がある。この態様は、複数の画像データＥが対応付けられている画像データＪについては、連続して対応付けられている数（この場合は２回）、読み出されるようにして、画像データＥは、予め設定された順に読み出すようになっている。すなわち、順番２、３は日本語データからは画像データＪ２が読み出されるが、英語データについては、画像データＥ２、Ｅ３の順に読み出される。この場合は、読出部１０２は、画像データＪ２を２回読み出す間に、画像データＥ２、Ｅ３を読み出すことになるため、講演者によって切り替えボタンが押下され、映像データＪに係る映像が変化しなくても、映像データＥに係る映像は画像データＥ２、Ｅ３に係る静止画像と変化することになる。
【００５９】
次に、第２の態様として、図１０に示すような態様がある。この態様は、画像データＪ２に対応する画像データＥ２、Ｅ３それぞれについて、別の対応付けがされるようになっている。すなわち、画像データＪ２と画像データＥ２の対応付けは、英語データ１として、画像データＪ２と画像データＥ３の対応付けは、英語データ２として行われ、その他の画像データの対応付けは同一になっているような、対応テーブルが記憶されている。
【００６０】
この場合には、読出部１０２は、画像データＪ２を読み出すときには、画像データＥ２、Ｅ３の双方を読み出して映像データ生成部１０３に出力する。そして、映像データ生成部１０３は、このような対応テーブルである場合には、映像データＥのかわりに、映像データＥ１、Ｅ２として生成するようにし、対応テーブルの英語データ１の画像データに基づいて、映像データＥ１を生成し、対応テーブルの英語データ２の画像データに基づいて英語データＥ２を生成する。すなわち、映像データＥ１は、画像データＥ１、Ｅ２、Ｅ４、Ｅ５・・・として変化する静止画像を示す映像データとなり、映像データＥ２は、画像データＥ１、Ｅ３、Ｅ４、Ｅ５・・・として変化する静止画像を示す映像データとなる。
【００６１】
そして、無線受信装置３で出力データを受信して、ＣＨ２を選択した場合には、通常はＣＨ２の映像データとして映像データＥ１が選択される。一方、特定の無線受信装置３において、ＣＨ２を選択した場合には、ＣＨ２の映像データとして映像データＥ２が選択される。ここで、特定の無線受信装置３とは、ＲＯＭ３２に記憶されるプログラムにより、同一のチャンネルに複数のデータが含まれている場合には、通常（この場合には映像データＥ１）とは別のデータ（この場合には映像データＥ２）が選択されるようになっている無線受信装置３をいう。このようにすると、特定の無線受信装置３を持っている聴講者のみが、映像データＥ２に係る映像を見ることができるようにすることができる。これにより、画像データＥ２を一般用静止画像、画像データＥ３を招待者用静止画像などとして、特定の無線受信装置３を聴講者のうち招待者に使用してもらうことにより、聴講者によって異なる映像が見られるようにすることもできる。
【００６２】
なお、無線受信装置３にそれぞれ端末ＩＤなど識別番号をＲＯＭ３２、ＲＡＭ３３などに記憶させ、映像データ出力装置１の出力データ生成部１０４において、映像データＥ２を選択することになる無線受信装置３の識別番号を示す情報を出力データに持たせるようにしてもよい。この場合には、無線受信装置３は、受信した出力データについて、ＣＨ２を選択したときに、ＣＰＵ３１が、出力データが示す識別番号と自らが記憶する識別番号とが一致したと判断した場合には、映像データＥ２を選択し、一致しないと判断した場合には、映像データＥ１を選択するようにすれば良い。このようにすれば、ＲＯＭ３２に記憶されるプログラムを特別のものとしなくてもよい。
【００６３】
＜変形例３＞
上述した実施形態においては、対応テーブルは、日本語データと英語データとの画像データの対応関係を示し、２種類のデータの対応を示していたが、３種類以上であってもよい。例えば、日本語データ、英語データ、中国語データなどとして、それぞれにおける画像データについて対応付けを行い、読出部１０２はそれぞれの画像データをよみだし、映像データ生成部１０３は、それぞれの画像データに基づいた映像データを生成すればよい。そして、出力データ生成部１０４は、ＣＨ１は日本語、ＣＨ２は英語、ＣＨ３は中国語というような出力データを生成すればよい。
【００６４】
＜変形例４＞
上述した実施形態においては、対応テーブルは、日本語データと英語データとの画像データの対応関係を示していたが、この対応関係は、異なる言語で対応させる場合に限られない。例えば、一般用データ、招待者用データとして対応付け、招待者用データは、一般用データの内容をさらに詳しい内容を示した静止画像の画像データから構成されるものとし、重要度が異なるような対応としてもよい。そして、一般用データはＣＨ１、招待者用データはＣＨ２とした出力データを出力データ生成部１０４が生成する。そして、一般の聴講者には、ＣＨ１が強制的に選択される無線受信装置３を使用させ、招待者には、ＣＨ１、ＣＨ２が選択できる無線受信装置３を使用させればよい。なお、変形例２でも述べたように、一般用データ、招待者用データともに同一のチャンネルとし、使用する無線受信装置３によって、選択されるデータが異なるようにしてもよい。ここで、一般用データ、招待者用データそれぞれにさらに日本語データ、英語データを用いて、これらを互いに対応させる対応テーブルを記憶部１４に記憶させるようにしてもよい。
【００６５】
＜変形例５＞
上述した実施形態においては、出力データについては音声データが含まれていたが、必ずしも用いなくてもよく、出力データは、複数の映像データから構成されていればよい。
【００６６】
＜変形例６＞
上述した実施形態においては、映像データＪと映像データＥとは、それぞれが同時に静止画像が切り替わるような映像を示すデータであったが、図１１に示すように、遅延部１０５を設けて、映像データＥについて、予め設定した時間の遅延を行うようにしてもよい。一般的には、通訳者による同時通訳は講演者の発言から少し遅れて行われることが多いため、聴講者は、ページが切り替わった後も、切り替わる前の説明を聞くことになってしまい違和感があることがあるが、このような構成とすることにより、同時通訳が遅れても、所定時間ページが切り替わるのが遅くなるため、違和感を低減できる。
【００６７】
＜変形例７＞
上述した実施形態において、図２に破線で示したようにインターフェイス１９を設けてもよい。このインターフェイス１９は、様々な外部機器と接続可能な接続端子を有し、例えば、ＤＶＤ（Ｄｉｇｉｔａｌ  Ｖｅｒｓａｔｉｌｅ  Ｄｉｓｃ）再生装置、ビデオカメラなどが接続可能であり、これらから出力される映像データ（以下、外部映像データという）を受信することができる。そして、図１２に示すような構成とすることができる。以下、この構成について説明する。
【００６８】
インターフェイス１９には、ＤＶＤ再生装置が接続され、操作部１５の操作によってＤＶＤの再生、停止を行うことができる。そして、ＤＶＤの再生中には、インターフェイス１９には外部映像データが入力され、映像データ生成部１０３に出力される。
【００６９】
映像データ生成部１０３は、読出部１０２から出力される画像データＪに基づいて、映像データＪを生成し、読出部１０２から出力される画像データＥに基づいて、映像データＥを生成する。一方、インターフェイス１９から外部映像データが入力されている間は、映像データＪ、映像データＥに係る映像は、外部映像データに係る映像となるように、各映像データを生成する。このようにすると、外部機器において再生する映像を講演資料の一部として用いたい場合には、この映像を映像データＪ、映像データＥに割り込ませることができる。
【００７０】
なお、映像データＪ、映像データＥに係る映像を完全に外部映像データに係る映像に置換するだけでなく、直前に表示される映像にスーパーインポーズするようにして表示させてもよいし、画面を２分割するようにして表示させるようにしてもよい。また、ＤＶＤなどの場合には、チャンネルごとに多言語化されているものもあり、その場合には、外部映像データをチャンネル化して出力し、映像データＪ、映像データＥの各々が、異なるチャンネルの外部映像データに係る映像を示すようにしてもよい。
【００７１】
＜変形例８＞
変形例７において、インターフェイス１９にビデオカメラを接続した場合は、ビデオカメラで講演者を撮影した外部映像データを用いることができる。この場合には、映像データ生成部１０３は、外部映像データに係る映像に、読出部１０２から出力された画像データに基づく静止画像を合成した映像を映像データとして生成するようにしてもよい。
【００７２】
＜変形例９＞
上述した実施形態においては、無線受信装置３は、映像データと音声データとは、チャンネルごとにまとめて選択していたが、映像データと音声データとについて、それぞれ別のチャンネルを選択できるようにしてもよい。
【００７３】
＜変形例１０＞
上述した実施形態においては、表示部１８に供給される映像データは、映像データ生成部１０３において生成された映像データＪであったが、表示部１８への供給専用の映像データＨを用いてもよい。この場合、映像データ生成部１０３において、読出部１０２から出力される画像データＪに基づいて、映像データＨを生成すればよい。また、表示部１８に対して、読出部１０２から直接画像データＪを出力し、表示部１８が当該画像データＪに係る静止画像を表示するようにしてもよい。すなわち、表示部１８への表示は、読出部１０２が読み出した画像データに基づいて、その表示内容を制御するような表示制御手段があれば、どのような態様で行なってもよい。
【００７４】
＜変形例１１＞
上述した実施形態においては、対応テーブルは、読出部１０２が画像データを読み出す順番についても規定していたが、画像データの対応付けが行われていれば、順番については規定されていなくてもよい。この場合には、講演者は操作部１５を操作して、次に読み出す画像データを指定するようにすればよい。
【００７５】
＜変形例１２＞
上述した実施形態においては、無線送信装置２と無線受信装置３との間の通信は無線で行われていたが、有線によって行なわれる通信であってもよい。
【００７６】
＜変形例１３＞
上述した実施形態においては、記憶部１４に記憶され、対応テーブルによって対応付けられていたデータは静止画像を示す画像データであったが、映像データであってもよい。この場合は、読出部１０２が読み出すべきデータが、映像データである場合には、当該映像データを読み出して、映像データ生成部１０３に出力し、映像データ生成部１０３は、読出部１０２から出力された映像データに基づいて、表示させる映像データを生成すればよい。
【００７７】
＜変形例１４＞
上述した実施形態において、映像データ出力装置１のＣＰＵ１１が実行するプログラムはＲＯＭ１２に記憶されたプログラムであったが、様々な記録媒体のデータを読み取ることができるデータ入力手段などを設け、当該プログラムが記憶された様々な記録媒体から取得したり、通信手段を設けてサーバなど外部装置との通信によって当該プログラムを取得したりして、外部から取得するようにしてもよい。
【図面の簡単な説明】
【００７８】
【図１】実施形態に係る映像データ出力装置を用いた放送システムの構成を示すブロック図である。
【図２】実施形態に係る映像データ出力装置のハードウエアの構成を示すブロック図である。
【図３】実施形態に係る映像データ出力装置の記憶部に記憶される画像データの説明図である。
【図４】実施形態に係る対応テーブルを示す説明図である。
【図５】実施形態に係る映像データ出力装置のソフトウエアの構成を示すブロック図である。
【図６】実施形態に係る無線受信装置のハードウエアの構成を示すブロック図である。
【図７】実施形態に係る無線受信装置の外観を示す外観図である。
【図８】変形例１に係る対応テーブルを示す説明図である。
【図９】変形例２に係る対応テーブルを示す説明図である。
【図１０】変形例２に係る対応テーブルを示す説明図である。
【図１１】変形例６に係る映像データ出力装置のソフトウエアの構成を示すブロック図である。
【図１２】変形例７に係る映像データ出力装置のソフトウエアの構成を示すブロック図である。
【符号の説明】
【００７９】
１…映像データ出力装置、２…無線送信装置、３…無線受信装置、４…映像表示装置、１１，３１…ＣＰＵ、１２，３２…ＲＯＭ、１３，３３…ＲＡＭ、１４…記憶部、１５，３５…操作部、１６，３６…音声入力部、１７…データ出力部、１８，３８…表示部、１９，３９…インターフェイス、３４…通信部、３７…音声出力部、１０１…切替信号取得部、１０２…読出部、１０３…映像データ生成部、１０４…出力データ生成部、１０５…遅延部
【図１】
2009105560.tif 000003
【図２】
2009105560.tif 000004
【図３】
2009105560.tif 000005
【図４】
2009105560.tif 000006
【図５】
2009105560.tif 000007
【図６】
2009105560.tif 000008
【図７】
2009105560.tif 000009
【図８】
2009105560.tif 000010
【図９】
2009105560.tif 000011
【図１０】
2009105560.tif 000012
【図１１】
2009105560.tif 000013
【図１２】
2009105560.tif 000014